(57)【要約】      （修正有）【課題】食品包装体及びこれに収容された食品の使い勝手を向上させる食品包装体用ラベルシールを提供する。【解決手段】シート状に形成され、第１領域Ｒ１及び第１領域Ｒ１に連なった第２領域Ｒ２を有し、第１領域Ｒ１の表面に食品包装体の内容物に係る情報を有する印刷が施されている基材１１と、第１領域Ｒ１と第２領域Ｒ２との境界に沿って延びる第１領域Ｒ１と第２領域Ｒ２とを分離するための切断線１５と、基材１１の第１領域Ｒ１及び第２領域Ｒ２の裏面に形成された粘着部と、を有する。また、基材１１は、ラベルシール１の外周縁から内側に向かって延在する切り欠き１６を有し、切断線１５は、切り欠き１６の先端部から切り欠き１６の延在方向と交差する方向に、ラベルシール１の外周縁まで延在している。【選択図】図２
0003196663.tif 000002
【実用新案登録請求の範囲】
【請求項１】
容器本体と前記容器本体の開口部を覆う蓋体を有する食品包装体に貼着される食品包装体用ラベルシールであって、
シート状に形成され、第１領域及び該第１領域に連なった第２領域を有し、前記第１領域の表面に前記食品包装体の内容物に係る情報を有する印刷が施されている基材と、
前記第１領域と前記第２領域との境界に沿って延びる前記第１領域と前記第２領域とを分離するための切断線と、
前記基材の前記第１領域及び前記第２領域の裏面に形成された粘着部と、を有する、食品包装体用ラベルシール。
【請求項２】
前記第２領域は、粘着部が形成されていない第１サブ領域と、粘着部が形成された第２サブ領域とを有する、請求項１に記載の食品包装体用ラベルシール。
【請求項３】
前記第２サブ領域は、粘着部が形成された粘着領域と粘着部が形成されていない非粘着領域とを含み、前記非粘着領域の少なくとも一部は前記第２サブ領域中において散点的に形成されている、請求項２に記載の食品包装体用ラベルシール。
【請求項４】
食品包装体用ラベルシールの外周縁から内側に向かって延在する切り欠きを更に有し、
前記切断線は、前記切り欠きの先端部から切り欠きの延在方向と交差する方向に食品包装体用ラベルシールの外周縁まで延在し、
前記第１サブ領域は、前記切り欠きに隣接して配設されている、請求項２又は３に記載の食品包装体用ラベルシール。
【請求項５】
前記切断線は、ミシン目である、請求項１乃至４の何れかに記載の食品包装体用ラベルシール。
【請求項６】
前記容器本体は、合成樹脂製であり、
前記蓋体は、合成樹脂製であり、周縁部が前記容器本体の開口部の周縁部に融着されている、請求項１乃至５の何れかに記載の食品包装体用ラベルシール。
【請求項７】
容器本体と前記容器本体の開口部を覆う蓋体を有する食品包装体と、
前記食品包装体に貼着されている食品包装体用ラベルシールとを備え、
前記食品包装体用ラベルシールは、
シート状に形成され、第１領域及び該第１領域に連なった第２領域を有し、前記第１領域の表面に前記食品包装体の内容物に係る情報を有する印刷が施されている基材と、
前記第１領域と前記第２領域との境界に沿って延びる前記第１領域と前記第２領域とを分離するための切断線と、
前記基材の前記第１領域及び前記第２領域の裏面に形成された粘着部と、を有する、ラベル付食品包装体。
【考案の詳細な説明】
【技術分野】
【０００１】
本考案は、食品包装体用ラベルシール、及びラベル付食品包装体に関する。
【背景技術】
【０００２】
従来から食品包装用容器に貼付されるラベルシールが知られている（例えば特許文献１参照）。
【０００３】
このラベルシールが貼付される食品包装用容器は、容器本体と、容器本体の開口部を閉塞する蓋体とを有する。そして、蓋体は周縁部が容器本体の周縁部と熱溶着されている。
【先行技術文献】
【特許文献】
【０００４】
【特許文献１】登録実用新案第３１７６３２３号公報
【考案の概要】
【考案が解決しようとする課題】
【０００５】
しかし、特許文献１に記載のラベルシールが貼付される食品包装用容器は、一度開封すると、再度蓋体と容器本体とを接着することができず、容器本体の開口部が露出した状態のままとなり、内容物を保存する用途に適さないという問題があった。
【課題を解決するための手段】
【０００６】
上記課題を解決するため、本考案のある態様に係る食品包装体用ラベルシールは、容器本体と前記容器本体の開口部を覆う蓋体を有する食品包装体に貼着される食品包装体用ラベルシールであって、シート状に形成され、第１領域及び該第１領域に連なった第２領域を有し、前記第１領域の表面に前記食品包装体の内容物に係る情報を有する印刷が施されている基材と、前記第１領域と前記第２領域との境界に沿って延びる前記第１領域と前記第２領域とを分離するための切断線と、前記基材の前記第１領域及び前記第２領域の裏面に形成された粘着部と、を有する。
【０００７】
この構成によれば、第２領域を切り取り、当該切り取った部分を用いて、開封した食品包装体の蓋体を容器本体に留めることができる。これによって、食品包装体及びこれに収容された食品の使い勝手を向上させることができる。
【０００８】
そして、開封した食品包装体の蓋体を容器本体に留めるために用いる第２領域は、食品包装体の内容物に係る情報を示す第１領域と一体に構成にされているので、第１領域に相当する部材と第２領域に相当する部材とをそれぞれ貼付する必要がなく、食品包装体及びこれに収容された食品の使い勝手を向上させるにあたり、手間、コスト、及び作業時間が増加することを防ぐことができる。
【０００９】
前記第２領域は、粘着部が形成されていない第１サブ領域と、粘着部が形成された第２サブ領域とを有していてもよい。
【００１０】
この構成によれば、第２領域を食品包装体から容易に引き剥がすことができる。
【００１１】
前記第２サブ領域は、粘着部が形成された粘着領域と粘着部が形成されていない非粘着領域とを含み、前記非粘着領域の少なくとも一部は前記第２サブ領域中において散点的に形成されていてもよい。
【００１２】
この構成によれば、第１領域よりも第２サブ領域全体として粘着力が弱くなり、食品包装体用ラベルシールの第２領域を食品包装体から容易に剥がすことができる。
【００１３】
食品包装体用ラベルシールの外周縁から内側に向かって延在する切り欠きを更に有し、前記切断線は、前記切り欠きの先端部から切り欠きの延在方向と交差する方向に食品包装体用ラベルシールの外周縁まで延在し、前記第１サブ領域は、前記切り欠きに隣接して配設されていてもよい。
【００１４】
この構成によれば、意図せず食品包装体用ラベルシールの第２領域が食品包装体から引き剥がされることを防止することができる。
【００１５】
前記切断線は、ミシン目であってもよい。
【００１６】
この構成によれば、第１領域と第２領域とを容易に分離することができる。
【００１７】
前記容器本体は、合成樹脂製であり、前記蓋体は、合成樹脂製であり、周縁部が前記容器本体の開口部の周縁部に融着されていてもよい。
【００１８】
この構成によれば、融着によって接着されているため、容器本体から一度剥がすと再度接着することができない蓋体を、食品包装体用ラベルシールを用いて容器本体に留めることができる。
【００１９】
上記課題を解決するため、本考案のある態様に係るラベル付食品包装体は、容器本体と前記容器本体の開口部を覆う蓋体を有する食品包装体と、前記食品包装体に貼着されている食品包装体用ラベルシールとを備え、前記食品包装体用ラベルシールは、シート状に形成され、第１領域及び該第１領域に連なった第２領域を有し、前記第１領域の表面に前記食品包装体の内容物に係る情報を有する印刷が施されている基材と、前記第１領域と前記第２領域との境界に沿って延びる前記第１領域と前記第２領域とを分離するための切断線と、前記基材の前記第１領域及び前記第２領域の裏面に形成された粘着部と、を有する。
【００２０】
この構成によれば、第２領域を切り取り、当該切り取った部分を用いて、開封した食品包装体の蓋体を容器本体に留めることができる。これによって、食品包装体及びこれに収容された食品の使い勝手を向上させることができる。
【００２１】
そして、開封した食品包装体の蓋体を容器本体に留めるために用いる第２領域は、食品包装体の内容物に係る情報を示す第１領域と一体に構成にされているので、第１領域に相当する部材と第２領域に相当する部材とをそれぞれ貼付する必要がなく、食品包装体及びこれに収容された食品の使い勝手を向上させるにあたり、手間、コスト、及び作業時間が増加することを防ぐことができる。
【考案の効果】
【００２２】
本考案は、食品包装体及びこれに収容された食品の使い勝手を向上させることができるという効果を奏する。また、本考案は、食品包装体及びこれに収容された食品の使い勝手を向上させるにあたり、手間、コスト、及び作業時間が増加することを防ぐことができる。
【図面の簡単な説明】
【００２３】
【図１】本考案の実施の形態に係る食品包装体用ラベルシールが貼着されたラベル付食品包装体の構成例を示す斜視図であり、ラベル付食品包装体の底面及び側面を示す図である。
【図２】図１のラベルシールの構成例を示す表面図である。
【図３】図１のラベルシールの構成例を示す裏面図である。
【図４】図１のラベル付食品包装体の使用例を示す図である。
【考案を実施するための形態】
【００２４】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２５】
図１は、本考案の実施の形態に係るラベルシール（食品包装体用ラベルシール）１が貼着されたラベル付食品包装体１００の構成例を示す斜視図であり、ラベル付食品包装体１００の底面及び側面を示す図である。
【００２６】
図１に示すように、ラベル付食品包装体１００は、ラベルシール１と、食品包装体２とを備える。
【００２７】
［食品包装体］
食品包装体２は、容器本体２１と、蓋体２２とを有する。
【００２８】
容器本体２１は、合成樹脂シートを成形したものであり、周壁部２３と、周壁部の下端を閉塞する底壁部２４と、周壁部２３の上端から周壁部２３の延在方向と直交する方向であって、周壁部２３の外側に延びるフランジ部２５とを有する。そして、周壁部２３の上端によって囲まれる領域が開口部２６（図４参照）を構成している。
【００２９】
蓋体２２は、合成樹脂シート製であり、容器本体２１のフランジ部２５の周縁部の形状に大略一致するように形成されている。蓋体２２は、周縁部が容器本体２１のフランジ部２５（開口部２６の周縁部）に例えば熱融着されることによって固定的に取り付けられている。これによって、蓋体２２は、容器本体２１の開口部２６を覆い、容器本体２１の内部空間を密封している。これによって、容器本体２１の内部空間に収容された食品を包装し、内部空間に収容された食品を比較的長期間に亘って保存することができる。そして、容器本体２１の内部空間に収容された食品を取り出すときは、蓋体２２を容器本体２１から剥がし、開口部２６を介して食品Ｆを取り出す。
【００３０】
なお、蓋体２２は、周縁部が容器本体２１のフランジ部２５に例えば熱融着されることによって固定されているので、容器本体２１から一度剥がすと当該剥がした部分を再度容器本体２１に留めることができないように構成されている。
【００３１】
［ラベルシール］
図２は、ラベルシール１の構成例を示す表面図である。図３は、ラベルシール１の構成例を示す裏面図である。
【００３２】
ラベルシール１は、食品包装体２に貼着され、主に食品包装体の内容物に関する情報を示すものであり、例えば図１に示すように、容器本体２１の底壁部２４に貼付されるものである。
【００３３】
図２及び図３に示すように、ラベルシール１は、基材１１と、基材１１の裏面に形成された粘着部１２とを備える。粘着部１２は、例えば基材１１の裏面に塗布された接着剤によって構成される。この粘着剤は、容器本体２１に貼付したラベルシール１を剥がした後、再度対象物に貼付することができるように構成されている。
【００３４】
基材１１は、例えば合成樹脂シート、又は紙で構成され、シート状に形成されている。また、基材１１は、例えば大略矩形に形成されている。しかし、これに限られるものではなく、基材１１の形状は任意の形状とすることができる。
【００３５】
基材１１は、切断線１５によって第１領域Ｒ１及び第２領域Ｒ２に区画されている。すなわち、第２領域Ｒ２は、第１領域Ｒ１に連なって形成され、第１領域Ｒ１及び第２領域Ｒ２は、互いに隣接している。
【００３６】
本実施の形態において、基材１１は、ラベルシール１の外周縁から内側に向かって延在する切り欠き１６を有する。そして、切断線１５は、切り欠き１６の先端部から切り欠き１６の延在方向と交差する方向にラベルシール１の外周縁まで延在している。
【００３７】
基材１１の第１領域Ｒ１は、表面に食品包装体の内容物に係る情報を有する印刷が施されている印刷領域Ｒ３を有する。食品包装体の内容物に係る情報として、例えば、食品包装体２に収容された食品について表示を義務付けられている情報、例えば、食品の名称、食品の原材料名、食品の内容量、食品の消費期限又は賞味期限、食品の保存方法、食品の製造者等があげられる。
【００３８】
そして、基材１１の第１領域Ｒ１の裏面には、ほぼ全面に粘着部１２が形成されている（図３において薄墨を付した部分）。これによって、食品包装体２にラベルシール１を貼着することができる。また、貼着したラベルシール１が食品包装体２から剥がれることを防止している。
【００３９】
切断線１５は、第１領域Ｒ１と第２領域Ｒ２とを分離するときに、基材１１が第１領域Ｒ１と第２領域Ｒ２との境界に沿って引き裂くことができるように案内するものである。切断線１５は、例えばミシン目である。すなわち、切断線１５は、ラベルシール１の表面から裏面まで貫通する多数の短い貫通切り込み線が互いに離間して一列に設けられている。また、切断線１５は直線状に形成され、更に容易に第１領域Ｒ１と第２領域Ｒ２とを分離することができるようになっている。なお、切断線１５は、ミシン目に限られるものではない。
【００４０】
基材１１の第２領域Ｒ２は、更に第１サブ領域Ｒｓ１と第２サブ領域Ｒｓ２とに区画されている。
【００４１】
第１サブ領域Ｒｓ１は、詳細は後述するように、使用者が摘むための部分である。第１サブ領域Ｒｓ１の裏面には、粘着部１２が形成されていない。よって、使用者は第１サブ領域Ｒｓ１を容易に摘むことができるようになっている。また、使用者の指に接着剤が付着することを防ぐことができる。そして、使用者は、摘んだ第１サブ領域Ｒｓ１を引っ張ることによって、第２領域Ｒ２を食品包装体２から容易に引き剥がすことができる。また、第１サブ領域Ｒｓ１の周縁は、少なくとも一部が切り欠き１６を含む基材１１の周縁上に位置する。すなわち、第１サブ領域Ｒｓ１の周縁は、少なくとも一部がラベルシール１の外周縁に位置している。よって、使用者は、食品包装体２の底壁部２４と第１サブ領域Ｒｓ１の周縁との間に形成される段差に爪を引っ掛けることによって、第１サブ領域Ｒｓ１を周壁部２３から容易に引き起こし、これを摘むことができる。更に、第１サブ領域Ｒｓ１は、切り欠き１６に隣接して配設されている。すなわち、切り欠き１６を除くラベルシール１の外周縁上に位置する第１サブ領域Ｒｓ１の周縁を少なくすることができるので、意図せずに他の物が第１サブ領域Ｒｓ１の周縁に引っ掛かり、第１サブ領域Ｒｓ１が周壁部２３から引き起こされ、意図せずラベルシール１の第２領域Ｒ２が食品包装体２から引き剥がされることを防止することができる。なお、第１サブ領域Ｒｓ１は、その表面に、第１サブ領域Ｒｓ１が摘むための部分であることを示す印刷が施されていてもよい。これによって、使用者は、第１サブ領域Ｒｓ１の位置を容易に認識することができる。
【００４２】
第２サブ領域Ｒｓ２は、大略長方形に形成されている。第２サブ領域Ｒｓ２は、詳細は後述するように、蓋体２２を容器本体２１に留めるために用いる部分である。第２サブ領域Ｒｓ２の裏面には、粘着部１２が形成されている。本実施の形態において、第２サブ領域Ｒｓ２の一方の端部は、自由端であり、他方の端部には第１サブ領域Ｒｓ１が連なるように構成されている。
【００４３】
そして、第２サブ領域Ｒｓ２の裏面に形成された粘着部１２は、第１領域Ｒ１よりも第２サブ領域Ｒｓ２全体として粘着力が弱くなるように構成されている。本実施の形態において、第２サブ領域Ｒｓ２の裏面には、粘着部１２が形成された粘着領域３１（図３において薄墨を付した部分）と粘着部１２が形成されていない非粘着領域３２とを含む。そして、非粘着領域３２の少なくとも一部は第２サブ領域Ｒｓ２中において散点的に形成され、粘着剤が塗布された面積が小さくなるように構成されている。そして、第２サブ領域Ｒｓ２のその余のほぼ全面に粘着領域３１が形成されている。これによって、第２サブ領域Ｒｓ２の裏面に形成された粘着部１２は、第１領域Ｒ１よりも第２サブ領域Ｒｓ２全体として粘着力が弱くなるように構成され、ラベルシール１の第２領域Ｒ２を食品包装体２から容易に剥がすことができるようになっている。また、第２サブ領域Ｒｓ２の粘着部１２は、第１領域Ｒ１の粘着部１２と同じ接着剤によって構成しながら、その接着力が弱くなるように構成されている。よって、ラベルシール１の構成を簡素化することができ、製造に有利、且つ製造コストを低下させることができる。
【００４４】
［使用例］
図４は、ラベルシール１が貼着されたラベル付食品包装体１００の使用例を示す図である。
【００４５】
まず、食品が収容されたラベル付食品包装体１００の蓋体２２を容器本体２１から部分的に剥がす。これによって、容器本体２１の開口部２６を露出させることができ、開口部２６を介して容器本体２１に収容された食品を取り出すことができる。
【００４６】
そして、容器本体２１に食品がまだ残っている場合、ラベルシール１の第２領域Ｒ２の第１サブ領域Ｒｓ１を引き起こして摘む。
【００４７】
次に、ラベルシール１の第２領域Ｒ２を食品包装体２から引き剥がす。このとき、切断線１５が形成されているので、第１領域Ｒ１と第２領域Ｒ２とは、切断線１５に沿って切り離される。
【００４８】
次に、図４に示すように、露出させた開口部２６を蓋体２２によって再度覆い、ラベルシール１の上記切り離した第２領域Ｒ２を用いて、蓋体２２を容器本体２１に留める。すなわち、長方形に形成された第２領域Ｒ２の一方の端部（例えば第１サブ領域Ｒｓ１が設けられていない側の端部）を容器本体２１のフランジ部２５の下面に貼付し、第２領域Ｒ２の他方の端部をフランジ部２５の外側に位置させる。そして、容器本体２１のフランジ部２５の周縁部にそって第２領域Ｒ２の他方の端部（例えば第１サブ領域Ｒｓ１が設けられている側の端部）を上方に折り返し、第２領域Ｒ２の他方の端部を蓋体２２の周縁部に貼付する。これによって、蓋体２２を容器本体２１に留めることができ、開口部２６が蓋体２２によって覆われた状態を保つことができる。したがって、容器本体２１に収容された食品の乾燥を防ぐことができ、当該食品を比較的長期間に亘り保存することができる。
【００４９】
このように、食品包装体２の開封後、容器本体２１に残された食品を保存するときに、当該食品を他の保存用容器に移し替えることなく、保存することができる。これによって、ラベル付食品包装体１００及びこれに収容された食品の使い勝手を向上させることができる。
【００５０】
また、第２サブ領域Ｒｓ２は、大略長方形に形成されているので、上述の通り、一方の端部を容器本体２１のフランジ部２５の下面に貼付したラベルシール１の他方の端部を蓋体２２の周縁部に容易に貼付することができる。
【００５１】
以上に説明したように、本考案のラベルシール１は、第１領域Ｒ１及び第２領域Ｒ２を有し、第１領域Ｒ１の表面に食品包装体２の内容物に係る情報を有する印刷が施されている基材１１と、基材１１の第１領域Ｒ１の裏面及び第２領域Ｒ２の裏面のそれぞれに形成された粘着部１２と、を有するので、第２領域Ｒ２を切り取り、当該切り取った部分を用いて、開封した食品包装体２の蓋体２２を容器本体２１に留めることができる。これによって、ラベル付食品包装体１００を用いて容器本体２１の残された食品を保存することができ、ラベル付食品包装体１００及びこれに収容された食品の使い勝手を向上させることができる。
【００５２】
そして、開封した食品包装体２の蓋体２２を容器本体２１に留めるために用いる第２領域Ｒ２は、食品包装体２の内容物に係る情報を示す第１領域Ｒ１と一体に構成にされているので、第１領域Ｒ１に相当する部材と第２領域Ｒ２に相当する部材とをそれぞれ貼付する必要がなく、食品包装体２及びこれに収容された食品の使い勝手を向上させるにあたり、手間、コスト、及び作業時間が増加することを防ぐことができる。
【００５３】
＜変形例＞
上記実施の形態においては、非粘着領域３２の少なくとも一部は第２サブ領域Ｒｓ２中において散点的に形成され、第２サブ領域Ｒｓ２のその余のほぼ全面に粘着領域３１が形成されていたがこれに限られるものではない。これに代えて、粘着領域３１が散点的に散りばめられていてもよい。
【００５４】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００５５】
Ｒ１  第１領域
Ｒ２  第２領域
Ｒ３  印刷領域
Ｒｓ１  第１サブ領域
Ｒｓ２  第２サブ領域
１  ラベルシール
２  食品包装体
１１  基材
１２  粘着部
１５  切断線
１６  切り欠き
２１  容器本体
２２  蓋体
２３  周壁部
２４  底壁部
２５  フランジ部
２６  開口部
３１  粘着部分
３２  非粘着部分
１００  ラベル付食品包装体
【図１】
0003196663.tif 000003
【図２】
0003196663.tif 000004
【図４】
0003196663.tif 000005
【図３】
0003196663.tif 000006